(57)【特許請求の範囲】
【請求項１】
一方の主面と非平行な複数の傾斜領域を他方の主面に有し、前記各傾斜領域に電極パッドが形成され、
前記他方の主面には、傾斜角度が相互に補角の関係を有する第１および第２の傾斜領域が形成され、
前記第１および第２の傾斜領域は、他方の主面の中央部から基板端部に向かって、それぞれの傾斜領域が上り斜面となるように配置されたことを特徴とする絶縁性基板。
【請求項２】
前記絶縁性基板は、一方の主面と非平行な複数の傾斜領域を他方の主面に有する支持基板と、表面に電極パッドを含む配線パターンが形成された配線基板とを具備し、前記配線基板は、その電極パッドが前記支持基板の各傾斜領域上に配置されるように、その裏面を支持基板の他方の主面に固着されたことを特徴とする請求項１に記載の絶縁性基板。
【請求項３】
前記配線基板はポリイミド基板であることを特徴とする請求項２に記載の絶縁性基板。
【請求項４】
前記絶縁性基板は、支持基板と、一方の主面と非平行な複数の傾斜領域を他方の主面に有し、前記各傾斜領域に電極パッドが形成された配線基板とを具備し、前記配線基板は、その一方の主面が支持基板の表面に固着されたことを特徴とする請求項１に記載の絶縁性基板。
【請求項５】
前記配線基板はガラスエポキシ基板であることを特徴とする請求項４に記載の絶縁性基板。
【請求項６】
一方の主面と非平行な複数の傾斜領域を他方の面に有し、前記傾斜領域に電極パッドが形成された絶縁性基板を具備し、
前記絶縁性基板の一方の主面に半導体素子が搭載され、他方の主面の各傾斜領域に形成された電極パッドと前記半導体素子とが電気的に接続され、
前記電極パッド上にボール状の突起電極が形成されたことを特徴とする半導体装置。
【請求項７】
絶縁性基板の一方の主面に搭載された半導体素子と他方の主面に形成された第１の電極パッドとが電気的に接続され、前記第１の電極パッドが、前記絶縁性基板の他方の主面側に対向配置された回路基板上の第２の電極パッドとボール状電極を介して電気的かつ機械的に接続された半導体実装装置において、前記絶縁性基板は、その他方の主面に一方の主面と非平行な複数の傾斜領域を有し、前記各傾斜領域に前記第１の電極パッドが形成されたことを特徴とする半導体実装装置。
【請求項８】
絶縁性基板の一方の主面に搭載された半導体素子と他方の主面に形成された第１の電極パッドとが電気的に接続され、前記第１の電極パッドが、前記絶縁性基板の他方の主面側に対向配置された回路基板上の第２の電極パッドとボール状電極を介して電気的かつ機械的に接続された半導体実装装置において、前記回路基板は、前記絶縁性基板側の主面に他方の主面と非平行な複数の傾斜領域を有し、前記各傾斜領域に前記第２の電極パッドが形成されたことを特徴とする半導体実装装置。
【請求項９】
前記絶縁性基板および回路基板は、相互に接続される第１および第２の電極パッドが非平行となるように対向配置されたことを特徴とする請求項７または８に記載の半導体実装装置。
【発明の詳細な説明】
【０００１】
【発明の属する技術分野】
本発明は、絶縁性基板、半導体装置および半導体実装装置に係り、特に、インターポーザ基板として機能する絶縁性基板、および当該絶縁性基板の一方の主面に半導体素子が実装され、他方の主面に電極パッドが形成された半導体装置、および当該半導体装置が回路基板上に実装された半導体実装装置に関する。
【０００２】
【従来の技術】
電子機器の高集積化に伴って様々な半導体装置が提案されているが、その中でも、ＢＧＡ（ボール・グリッド・アレイ）あるいはＬＧＡ（ランド・グリッド・アレイ）と称される半導体装置が注目されている。
【０００３】
これらの半導体装置では、インターポーザ（あるいはチップ・キャリア）基板の表面に半導体素子が搭載され、外部接続用電極パッドが裏面に形成されることから、従来の半導体装置であるＱＦＰ（クワッド・フラット・パッケージ）と比較した場合、そのサイズを大幅に縮小できるという利点がある。さらに、外部接続用電極パッドのピッチも、ＱＦＰの０．３〜０．５ｍｍに対して１．２７〜１．５ｍｍと広くできるため、回路基板への実装が容易になるという利点もある。
【０００４】
図７は、従来の一般的なＢＧＡの実装状態における構成を示した断面図であり、図８は、その一部分を拡大した断面図である。ＢＧＡ１０は、インターポーザ基板２の表面に半導体素子１を搭載して構成され、ＢＧＡ１０が実装される回路基板８と前記インターポーザ基板２とは、インターポーザ基板２の裏面に予め形成された突起電極１１を介して、電気的および機械的に接続される。インターポーザ基板２と突起電極１１とは、インターポーザ基板２の裏面に形成された電極パッド５を介して接続され、回路基板８と突起電極１１とは、回路基板８の表面に形成された電極パッド６を介して接続される。
【０００５】
ＢＧＡ１０に関しては、その使用目的や要求性能によって多くのパッケージ構造が提案されている。その中でも、高発熱半導体素子に対応しなけれならないＢＧＡや、インターポーザ基板２に高密度・高精細配線が要求されるＢＧＡでは、インターポーザ基板２としてアルミナセラミックス等のセラミックス基板を用いることが提案されている。しかしながら、アルミナセラミックス等からなるインターポーザ基板２では、その熱膨張係数が６〜７ｐｐｍ／℃程度であるのに対して、ＢＧＡ１０が実装される回路基板８は一般的にガラスエポキシから構成され、その熱膨張係数は１５〜２０ｐｐｍ／℃程度である。
【０００６】
このように両者の熱膨張係数が大きく異なると、ＢＧＡ１０を回路基板８に搭載した半導体実装装置では、半導体素子１の動作時に発生する熱により両者の熱膨張係数の差に起因した大きな熱応力が水平方向に発生する。この熱応力は、ＢＧＡ１０と回路基板８との間の突起電極１１に集中し、最悪の場合は突起電極１１の接合部およびその近傍に疲労破壊が生じる。一般的に、上記した熱応力は、ＢＧＡ１０および回路基板８と突起電極１１との接合界面付近の外周部分に集中するため、疲労破壊もこの部分から生じることが多い。
【０００７】
このような問題点を解決するためには、例えば特開平８−３１６６２８号公報では、突起電極１１を鼓状に形成して変形し易くすることで接合界面付近の熱応力を緩和する方法が提案されている。
【０００８】
【発明が解決しようとする課題】
上記した従来技術では、突起電極１１をどのような形状にしようとも、各基板の熱膨張係数の差に起因する熱応力は常に接合面に対して平行方向に作用してしまう。換言すれば、応力の全てが接合部を破壊する方向に作用するため、疲労寿命や接合強度を十分に向上させることはできないという問題があった。
【０００９】
本発明の目的は、上記した従来技術の問題点を解決し、突起電極の接合部およびその近傍の疲労寿命や接合強度が大幅に向上した絶縁性基板、半導体装置および半導体実装装置を提供することにある。
【００１０】
【課題を解決するための手段】
上記した目的を達成するために、本発明では以下のような手段を講じた。
(1) 本発明の絶縁性基板は、その一方の主面と非平行な複数の傾斜領域を他方の主面を備え、前記各傾斜領域に電極パッドが形成されるようにした。
(2) 本発明の半導体装置は、前記(1) の絶縁性基板の一方の主面に半導体素子を搭載し、他方の主面の各傾斜領域に形成された第１の電極パッドと前記半導体素子とを電気的に接続した。
(3) 本発明の半導体実装装置は、前記(2) の半導体装置の第１の電極パッドを、その他方の主面側に対向配置された回路基板上の第２の電極パッドとボール状電極を介して接続することで構成した。
【００１１】
上記した構成の絶縁性基板、半導体装置および半導体実装装置によれば、他方の主面側に対向配置される回路基板との接合部に、前記絶縁性基板と回路基板との熱膨脹係数の差に起因した応力により、接合を強める方向の力を作用させることができるので、接合部およびその近傍の疲労寿命や接合強度が向上する。
【００１２】
【発明の実施の形態】
以下、図面を参照して本発明を詳細に説明する。図１は、本発明の第１実施形態である半導体実装装置の断面図であり、前記と同一の符号は同一または同等部分を表している。
【００１３】
インターポーザ基板２の一方の主面（表面）には半導体素子１が実装され、当該半導体素子１およびそのボンディングワイヤ１ａはモールド樹脂３によって覆われている。インターポーザ基板２の他方の主面（裏面）には、一方の主面と非平行な複数の傾斜面２ａが洗濯板状に連続して形成され、各傾斜面２ａには、前記半導体素子１と電気的に接続された電極パッド５がそれぞれ形成されている。各傾斜面２ａは、基板の中央部から基板端部に向かって、それぞれの傾斜面が上り斜面となるように形成され、図中右半分に配置される傾斜面２ａと左半分に形成される２ａとは、その傾斜角度が相互に補角の関係を有する。
【００１４】
前記インターポーザ基板２の他方の主面側には、当該インターポーザ基板２の一方の主面と平行に回路基板８が対向配置され、当該回路基板８の表面に形成された電極パッド６と前記傾斜面２ａに形成された電極パッド５とは半田ボール電極７を介して相互に電気的および機械的に接続されている。
【００１５】
次いで、前記傾斜面２ａの作用について説明する。図２は、各電極パッド５、６と半田ボール電極７との接合部分の構成を拡大して示した図である。
【００１６】
例えば、回路基板８の熱膨張係数がインターポーザ基板２の熱膨張係数よりも大きいと、回路基板８の各微小領域はインターポーザ基板２の中心位置から外側に向かって変位する。ここで、両者の熱膨張係数の差に起因して回路基板８が図中左方向へ変位する場合（すなわち、インターポーザ基板２の中心位置が図中右方向に存在する）を考えると、回路基板８の膨張に伴って半田ボール電極７も図中左方向へ変位しようとするので、電極パッド５と半田ボール電極７との接合面には左方向へ応力Ｆが発生する。
【００１７】
ここで、前記傾斜面２ａの回路基板８に対する傾斜角を角度θとすると、接合面に沿った方向の応力ｆはＦ・ｃｏｓθとなって前記応力Ｆよりも小さくなる。さらに、電極パッド５と半田ボール電極７との接合面には、これと垂直方向に効力Ｎが作用し、半田ボール電極７が電極パッド５に対して押し付けられることになる。同様に、電極パッド６と半田ボール電極７との接合面においても、接合面と垂直方向に効力が作用して半田ボール電極７が電極パッド６に対して押し付けられる。
【００１８】
このように、本実施形態によれば、各基板２、８の熱膨張係数の差に起因して生じる応力によって半田ボール電極７が各電極パッド５、６側に押し付けられる。換言すれば、半田ボール電極７と各電極パッド５、６との接合面には、両者の剥離や破断を妨げる方向に力が作用するので、各接合部の疲労寿命を向上させることができる。
【００１９】
さらに、上記した構成によれば、半田ボール電極７と各電極パッド５、６との接合面に対して平行に作用して接合面を剥離・破断させる力ｆが、従来技術では応力Ｆそのものであったのに対して、本実施形態では応力Ｆとｃｏｓθ（＜１）との積となって応力Ｆよりも小さくなるので、熱応力による接合破断や剥離の可能性が低減される。
【００２０】
なお、上記した実施形態では、回路基板８の熱膨張係数がインターポーザ基板２の熱膨張係数よりも大きいという前提で、各傾斜面２ａを、インターポーザ基板２の中央部から外側に向かって上り斜面となるように形成したが、これとは逆に、インターポーザ基板２の熱膨張係数が回路基板８の熱膨張係数よりも大きい場合には、前記各傾斜面２ａを、基板の中央部から外側に向かって下り斜面となるように形成する必要がある。
【００２１】
図３は、本発明の第２実施形態である半導体実装装置の断面図であり、前記と同一の符号は同一または同等部分を表している。上記した第１実施形態では、表面に半導体素子１が搭載されるインターポーザ基板２の裏面に傾斜面２ａを形成したが、本実施形態では、対向配置される配線基板８の表面に傾斜面８ａを逆向きに形成した点に特徴がある。本実施形態によっても前記と同様の効果が得られる。
【００２２】
さらに、前記傾斜面は一方の基板のみに形成されるものではなく、図４に示した本発明の第３実施形態のように、前記インターポーザ基板２の裏面および前記配線基板８の表面の双方に、それぞれ傾斜面２ａ、８ａを形成しても良い。
【００２３】
図５は、上記したように一方の主面に傾斜面を有する基板の製造方法を示した断面図であり、ここでは、前記図１、４に関して介して説明したインターポーザ基板２の製造方法を例にして説明する。
【００２４】
初めに、同図(a) に示したように、所望の傾斜面と同一形状に表面加工された支持基板３１を用意する。次いで、所望の配線パターンと共に前記電極パッド５が形成されたポリイミド基板３０を、前記支持基板３１の表面に加圧接着する。この結果、同図(b) に示したように、一方の主面に傾斜面２ａが形成され、その表面に電極パッド５が形成されたインターポーザ基板２が完成する。
【００２５】
図６は、前記傾斜面を有する基板の他の製造方法を示した断面図であり、ここでは、前記図１、４に関して介して説明したインターポーザ基板２の製造方法を例にして説明する。
【００２６】
はじめに、同図(a) に示したように、所望の傾斜面と逆形状に表面加工された型４１を用意する。次いで、同図(b) に示したように、型４１の表面にガラスエポキシ樹脂を塗布してガラスエポキシ基板４２を形成する。次いで、同図(c) に示したように、予め電極４３１やビア４３２等が形成された基板４３の表面に、前記ガラスエポキシ基板４２を表裏反転させたうえで被着する。
【００２７】
次いで、同図(d) に示したように、ガラスエポキシ基板４２の所定の傾斜面４２ａに、前記基板４３の表面に形成された電極４３１等に達する開口４２ｂを形成する。次いで、同図(e) に示したように、ガラスエポキシ基板４２の露出面に金属メッキ４４を施し、さらに、電極パッド５等の領域を残して不要部分を除去することで、同図(f) に示したインターポーザ基板２を完成する。
【００２８】
なお、前記傾斜面８ａを有する配線基板８はグリーシートを積層することによっても形成することができる。配線基板８としてグリーシート多層基板を採用するのであれば、はじめに、アルミナグリーンシートにスルーホールを形成し、さらに、その表面にＭｏ、Ｗ導体を印刷して配線パターンや電極を形成する。さらに、その表面にアルミナグリーンシートを積層して絶縁層とし、これらを交互に繰り返して生シート状の多層構造とする。次いで、前記生シート状の多層構造を、例えば、図６(a) に示した形４１上に押し当て、さらに焼成して一体化する。これにより、表面および裏面の双方に傾斜面を有するグリーシート多層基板が完成する。
【００２９】
【発明の効果】
本発明によれば、以下のような効果が達成される。
(1) ボール状電極によって相互に接合される各電極パッドが非平行に配置され、熱応力が発生すると、当該熱応力によってボール状電極が各電極パッド５、６側に押し付けられる。換言すれば、ボール状電極と各電極パッドとの接合面では、熱応力の一部が両者の剥離や破断を妨げる方向にも作用するので、各接合部の疲労寿命を向上させることができる。
(2) ボール状電極と各電極パッドとの接合面に対して平行に作用して接合面を剥離・破断させる力が、熱応力の一部だけとなるので、熱応力による接合破断や剥離の可能性が低減される。
【図面の簡単な説明】
【図１】本発明の第１実施形態である半導体実装装置の断面図である。
【図２】非平行に配置される電極パッドと半田ボール電極との接合部に作用する応力を模式的に示した図である。
【図３】本発明の第２実施形態である半導体実装装置の断面図である。
【図４】本発明の第３実施形態である半導体実装装置の断面図である。
【図５】主面に傾斜面を有する基板の製造方法を示した断面図である。
【図６】主面に傾斜面を有する基板の他の製造方法を示した断面図である。
【図７】従来の半導体実装装置の断面図である。
【図８】従来の半導体実装装置の主要部の拡大断面図である。
【符号の説明】
１…半導体素子、２…インターポーザ基板、２ａ、３ａ、８ａ…傾斜面、５、６…電極パッド、７…半田ボール電極、８…回路基板
【図１】
0003783754.tif 000002
【図２】
0003783754.tif 000003
【図３】
0003783754.tif 000004
【図４】
0003783754.tif 000005
【図５】
0003783754.tif 000006
【図６】
0003783754.tif 000007
【図７】
0003783754.tif 000008
【図８】
0003783754.tif 000009